(57)【要約】【課題】患者の診察に用いられる検体の検査状況を管理できるようにする。【解決手段】検体に対応付けられた検査依頼識別情報を取得し、前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、前記検体の検査状態と前記検体に対応する診察予約時刻とを対応付けて表示させる、処理をコンピュータに実行させる。【選択図】図２
2018059715.tif 000002
【特許請求の範囲】
【請求項１】
検体に対応付けられた検査依頼識別情報を取得し、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、
前記検体の検査状態と前記検体に対応する診察予約時刻とを対応付けて表示させる、
処理をコンピュータに実行させることを特徴とする検体管理プログラム。
【請求項２】
前記検査状態は、検査中、検査済みの状態を含む、
ことを特徴とする請求項１に記載の検体管理プログラム。
【請求項３】
前記検査依頼識別情報に対応する診察予約時刻と現在時刻とに基づいて、前記検査依頼識別情報に対応する診察予約時刻までの残り時間を併せて表示させる、
ことを特徴とする請求項１に記載の検体管理プログラム。
【請求項４】
前記残り時間に応じて、前記残り時間の表示を変化させる、
ことを特徴とする請求項３に記載の検体管理プログラム。
【請求項５】
前記検体の受付時刻と前記現在時刻とに基づいて、前記検体の受付後の経過時間を算出し、
前記残り時間と前記受付後の経過時間とに応じて、前記残り時間の表示を変化させる、
ことを特徴とする請求項３に記載の検体管理プログラム。
【請求項６】
検体に対応付けられた検査依頼識別情報を取得する取得部と、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定する特定部と、
前記検体の検査状態と前記検体に対応する診察予約時刻とを対応付けて表示させる表示部と、
を備えたことを特徴とする検体管理装置。
【請求項７】
検体に対応付けられた検査依頼識別情報を取得し、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、
前記検体の検査状態と前記検体に対応する診察予約時刻とを対応付けて表示させる、
処理をコンピュータが実行することを特徴とする検体管理方法。
【発明の詳細な説明】
【技術分野】
【０００１】
本発明は、検体管理プログラム、検体管理装置および検体管理方法に関する。
【背景技術】
【０００２】
病院の検査室では採血した血液等の検体に対する各種の検査が行われており、検体の検査情報を管理するシステムでは、検体を受け付けた時刻と、その時刻からの経過時間とが管理されていた（特許文献１等を参照）。これにより、受付から所定の時間以上経過しているにも関わらず検査が終了していない検体が自動的に検知され、担当者に報知（アラーム）が行われることで、検査の遅れが抑制されていた。
【先行技術文献】
【特許文献】
【０００３】
【特許文献１】特開２０１０−２３６９６２号公報
【発明の概要】
【発明が解決しようとする課題】
【０００４】
上述したように、従来のシステムでは検体の受付からの経過時間が管理されていたため、検査が行われないまま検体が放置されることは抑制される。しかし、従来のシステムでは、患者の診察時刻を考慮して管理されていないため、検体の検査が検体の受付から所定の時間内で完了した場合であっても、患者の診察に検査結果が間に合わず、診察に支障をきたすといった問題が発生していた。
【０００５】
そこで、一側面では、患者の診察に用いられる検体の検査状況を管理できるようにすることを目的とする。
【課題を解決するための手段】
【０００６】
一つの形態では、検体に対応付けられた検査依頼識別情報を取得し、前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、前記検体の検査状態と前記検体に対応する診察予約時刻とを対応付けて表示させる、処理をコンピュータに実行させる。
【発明の効果】
【０００７】
患者の診察に用いられる検体の検査状況を管理できる。
【図面の簡単な説明】
【０００８】
【図１】一実施形態にかかるシステムの構成例を示す図である。
【図２】システムの機能構成例を示す図である。
【図３】検体検査システム・サーバ装置等のハードウェア構成例を示す図である。
【図４】実施形態の処理例を示すシーケンス図である。
【図５】予約情報の取得の例を示す図である。
【図６】検索結果参照情報の取得の例を示す図である。
【図７】端末装置における画面表示の処理例を示すフローチャートである。
【図８】端末装置における画面例を示す図（その１）である。
【図９】端末装置における画面例を示す図（その２）である。
【図１０】端末装置における画面例を示す図（その３）である。
【発明を実施するための形態】
【０００９】
以下、本発明の好適な実施形態につき説明する。
【００１０】
＜構成＞
図１は一実施形態にかかるシステムの構成例を示す図である。図１において、検体検査の情報管理を行う検体検査システム・サーバ装置１には、病院内ＬＡＮ（Local Area Network）等のネットワーク５を介して、１台以上の検査装置２と、主として検査部門の担当者が使用する１台以上の端末装置６とが接続されている。検査装置２は、検査結果をオンラインで検体検査システム・サーバ装置１に送信する機能を有している。なお、検査結果をオンラインで検体検査システム・サーバ装置１に送信できないタイプの検査については、端末装置６から検査結果を検体検査システム・サーバ装置１に入力する場合もある。
【００１１】
また、電子カルテの情報管理を行う電子カルテシステム・サーバ装置３についても、ネットワーク５を介して、主として診療部門の担当者（医師、看護師等）が使用する１台以上の端末装置７が接続されている。また、検体検査システム・サーバ装置１と電子カルテシステム・サーバ装置３の間では、ＯＤＢＣ（Open Database Connectivity）等の仕組によりデータ参照等が可能であるとともに、各種の通知等が行えるようになっている。
【００１２】
図２はシステムの機能構成例を示す図である。図２において、検体検査システム・サーバ装置１は、検査オーダー受付部１１とラベル発行部１２と検体受付部１３と予約情報取得部１４と検査結果参照情報取得部１５と検査結果・承認受付部１６と検査結果情報提供部１７と検査管理情報１８と通信部１９とを備えている。
【００１３】
検査オーダー受付部１１は、電子カルテシステム・サーバ装置３から検査オーダーを受け付ける機能を有している。ラベル発行部１２は、検体の容器等に貼り付けるラベルの発行を管理する機能を有している。検体受付部１３は、端末装置６を介して検体を受け付ける機能を有している。予約情報取得部１４は、受け付けた検体を用いる診察の予約情報を電子カルテシステム・サーバ装置３から取得する機能を有している。検査結果参照情報取得部１５は、検体の検査結果の参照が行われているか否か等の検査結果参照情報を電子カルテシステム・サーバ装置３から取得する機能を有している。
【００１４】
検査結果・承認受付部１６は、検査装置２や端末装置６から検査結果を受け付けるとともに、端末装置６から検査結果に対する承認を受け付ける機能を有している。検査結果情報提供部１７は、電子カルテシステム・サーバ装置３に対して検査結果情報を提供する機能を有している。検査管理情報１８は、検査に関する各種の情報を含むものであり、実装上は複数のテーブルにより構成される。検査管理情報１８は、後で説明する画面例に表示される項目を含むものであり、採取日、採取時刻、受付番号、患者番号、患者氏名、状態（検査中、検査済）、依頼元、結果参照の有無、診察時刻、診察開始までの残り時間等を含んでいる。通信部１９は、他の装置とデータ（情報）の通信を行う機能を有している。
【００１５】
電子カルテシステム・サーバ装置３は、予約受付部３１と検査オーダー受付部３２と検査結果情報提供部３３と診療管理情報３４と通信部３５とを備えている。予約受付部３１は、医師や看護師の操作する端末装置７から診察の予約を受け付ける機能を有している。検査オーダー受付部３２は、端末装置７から検査オーダーを受け付ける機能を有している。検査結果情報提供部３３は、端末装置７に検査結果情報を提供する機能を有している。診療管理情報３４は、電子カルテとしての各種情報を保持するものであり、診療情報３４１と予約情報３４２と検歴情報３４３と検査結果情報３４４とを含んでいる。診療情報３４１は、患者の診療記録を含んでいる。予約情報３４２は、診察の予約内容を保持するものであり、患者ＩＤ、予約日付、利用者診療科、予約開始時刻、予約終了時刻を含んでいる。検歴情報３４３は、検査結果の取扱履歴を保持するものであり、オーダー番号、オーダー日、レポート種別、採取日、参照者ＩＤ、参照日、参照時刻等を含んでいる。検査結果情報３４４は、検査結果を保持するものである。通信部３５は、他の装置とデータ（情報）の通信を行う機能を有している。
【００１６】
端末装置６、７は、それぞれ、通信部６１、７１と入出力部６２、７２とを備えている。通信部６１、７１は、他の装置とデータ（情報）の通信を行う機能を有している。入出力部６２、７２は、データ（情報）の入出力、画面表示等を行う機能を有している。
【００１７】
図３は検体検査システム・サーバ装置１等のハードウェア構成例を示す図である。電子カルテシステム・サーバ装置３、端末装置６、７についても、ハードウェア構成は同様である。
【００１８】
図３において、検体検査システム・サーバ装置１等は、システムバス1001に接続されたＣＰＵ（Central Processing Unit）1002、ＲＯＭ（Read Only Memory）1003、ＲＡＭ（Random Access Memory）1004、ＮＶＲＡＭ（Non-Volatile Random Access Memory）1005を備えている。また、検体検査システム・サーバ装置１等は、Ｉ／Ｆ（Interface）1006と、Ｉ／Ｆ1006に接続された、Ｉ／Ｏ（Input/Output Device）1007、ＨＤＤ（Hard Disk Drive）／ＳＳＤ（Solid State Drive）1008、ＮＩＣ（Network Interface Card）1009とを備えている。また、検体検査システム・サーバ装置１等は、Ｉ／Ｏ1007に接続されたモニタ1010、キーボード1011、マウス1012等を備えている。Ｉ／Ｏ1007にはＣＤ／ＤＶＤ（Compact Disk/Digital Versatile Disk）ドライブ等を接続することもできる。
【００１９】
検体検査システム・サーバ装置１等の機能（図２）は、ＣＰＵ1002において所定のプログラムが実行されることで実現される。プログラムは、記録媒体を経由して取得されるものでもよいし、ネットワークを経由して取得されるものでもよいし、ＲＯＭ組込でもよい。
【００２０】
＜動作＞
図４は上記の実施形態の処理例を示すシーケンス図である。図４において、診療部門で患者の診察の予約が行われる場合、端末装置７から電子カルテシステム・サーバ装置３に対して、患者ＩＤ、診療科、診察開始時刻、診察終了時刻等が特定されて診察の予約が行われる（ステップＳ１０１）。これを受け、電子カルテシステム・サーバ装置３の予約受付部３１は診察の予約内容を予約情報３４２に登録する（ステップＳ１０２）。
【００２１】
また、診療部門で検査が指示される場合、端末装置７から電子カルテシステム・サーバ装置３に対して、患者ＩＤ、診療科、検査項目等が特定されて検査オーダーが行われる（ステップＳ１０３）。これを受け、電子カルテシステム・サーバ装置３の検査オーダー受付部３２は検査オーダーの内容を診療情報３４１等に登録する（ステップＳ１０４）とともに、検体検査システム・サーバ装置１に対して検査オーダーを転送する（ステップＳ１０５）。
【００２２】
検体検査システム・サーバ装置１の検査オーダー受付部１１は、検査オーダーを受け付けると、検査オーダーの内容を検査管理情報１８に登録する（ステップＳ１０６）。また、検体検査システム・サーバ装置１のラベル発行部１２は、端末装置６に対してラベル情報を通知し（ステップＳ１０７）、端末装置６は所定のプリンタ等によりラベルを発行する（ステップＳ１０８）。端末装置６はラベル発行完了を検体検査システム・サーバ装置１に通知し（ステップＳ１０９）、検体検査システム・サーバ装置１のラベル発行部１２はラベル発行済を検査管理情報１８に登録する（ステップＳ１１０）。なお、ラベル発行は診療部門の端末装置７において行ってもよい。発行されたラベルは検体の容器等に貼り付けられ、診療部門において採血等の検体の採取が行われ、検査部門に移送される。
【００２３】
その後、検査部門において検体が受け付けられると、端末装置６において検体受付の操作が行われ（ステップＳ１１１）、端末装置６は検体検査システム・サーバ装置１に対して検体受付を通知する（ステップＳ１１２）。これを受け、検体検査システム・サーバ装置１の検体受付部１３は検体受付を検査管理情報１８に登録する（ステップＳ１１３）。
【００２４】
次いで、検体検査システム・サーバ装置１の予約情報取得部１４は、受け付けた検体を用いる診察の予約情報の取得を電子カルテシステム・サーバ装置３に要求する（ステップＳ１１４）。これを受け、電子カルテシステム・サーバ装置３では予約情報３４２の検索が行われ（ステップＳ１１５）、該当する予約情報が存在する場合には予約情報が応答される（ステップＳ１１６）。検体検査システム・サーバ装置１の予約情報取得部１４は、取得した予約情報を検査管理情報１８に登録する（ステップＳ１１７）。図５は予約情報の取得の例を示す図であり、ＳＱＬ（Structured Query Language）等により患者番号、予約日付（検体の受付日）等で予約情報の検索要求を行い、応答として利用者診療科、更新日時、予約開始時刻、予約終了時刻等を取得する。予約情報の特定は、検体ひいては患者を特定できるものであればよく、検査のオーダーＩＤ等を用いてもよい。また、検体の受付後に１回だけ予約情報の取得を行う場合について説明するが、予約情報の変更等に対応するために、その後も所定のタイミングで予約情報を再取得するようにしてもよい。
【００２５】
図４に戻り、検体検査システム・サーバ装置１の検査結果参照情報取得部１５は、周期的に、検査結果参照情報の取得を電子カルテシステム・サーバ装置３に要求する（ステップＳ１１８）。これを受け、電子カルテシステム・サーバ装置３では検歴情報３４３の検索が行われ（ステップＳ１１９）、該当する検査結果参照情報が応答される（ステップＳ１２０）。検体検査システム・サーバ装置１の検査結果参照情報取得部１５は、取得した検査結果参照情報を検査管理情報１８に登録する（ステップＳ１２１）。図６は検索結果参照情報の取得の例を示す図であり、検査中または検査済で未参照のデータにつき、ＳＱＬ等によりオーダ番号、オーダ日、レポート種別、採取日等で検歴情報の検索要求を行い、応答として参照者ＩＤ、参照日、参照時刻等を取得する。
【００２６】
図４に戻り、検査装置２から検体の検査結果が通知されると（ステップＳ１２２）、検体検査システム・サーバ装置１の検査結果・承認受付部１６は検査結果を検査管理情報１８に登録する（ステップＳ１２３）。そして、検体検査システム・サーバ装置１の検査結果・承認受付部１６は、検査結果を端末装置６に通知し（ステップＳ１２４）、端末装置６で承認が行われ（ステップＳ１２５）、その旨が通知されると（ステップＳ１２６）、検査管理情報１８に登録する（ステップＳ１２７）。その後、検体検査システム・サーバ装置１の検査結果情報提供部１７は電子カルテシステム・サーバ装置３に検査結果を送信する（ステップＳ１２８）。検査結果は電子カルテシステム・サーバ装置３の検査結果情報３４４として格納される。
【００２７】
一方、端末装置６の利用者は、任意の時点において検体検査システム・サーバ装置１で管理される検査の状態を確認することができる。図７は端末装置６における画面表示の処理例を示すフローチャートである。図７において、端末装置６の入出力部６２は、検体検査システム・サーバ装置１から検査情報と検査結果参照情報を取得し（ステップＳ２１）、検体ごとに現在時刻から診察開始時刻までの残り時間と、検体受付時刻から現在時刻までの経過時間を算出する（ステップＳ２２）。また、入出力部６２は、残り時間、または残り時間および経過時間に応じて、残り時間の表示態様を変更する（ステップＳ２３）。例えば、残り時間が所定時間よりも短くなった場合に、表示を目立つ色に変更したり、点滅させたり、アラートのためのポップアップメッセージを表示させたりする。
【００２８】
次いで、入出力部６２は、受付番号、患者番号等と対応付けて、検査状態（検査中、検査済）、検査結果参照状態、診察時刻、残り時間等を一覧表示する（ステップＳ２４）。図８は端末装置６における総合一覧画面の例を示しており、採取日（当日）において管理対象となっている検査について、「区分」、「急」、「処理」、「参照」、「診察時間」（診察時刻）、「残り時間」、「採取日」、「時間」（採取時刻）、「受付番号」、「患者番号」、「患者氏名」、「状態」、「コメ１」（コメント１）、「依頼元」等が表示されている。ここで、太枠で囲んで示した部分の「参照」は検査結果参照情報に基づくものであり、「参照済」が表示されている検査については検査結果が医師等により参照されていることを示している。「診察時間」（診察時刻）は、その検査結果を用いることが予定されている診察開始時刻と診察終了時刻を示している。「残り時間」は、現在時刻から診察開始時刻までの時間を示している。
【００２９】
図９は端末装置６における結果入力画面の例を示しており、図８で示した総合一覧画面から選択された検査についての詳細画面である。図の右上に太枠で囲んで示すように、検査結果がいつ誰により参照されているかが表示されている。また、既に参照されている検査結果について、再度、黙って検査結果の送信を行うと不都合が生ずるため、図１０に示すように、担当医に連絡をすべき旨のポップアップメッセージが表示される。
【００３０】
＜総括＞
以上説明したように、本実施形態によれば、患者の診察に用いられる検体の検査状況を管理できる。
【００３１】
すなわち、検査部門に予約時間の情報を提供することで、予約時間も考慮した検査実施、遅延時の事前報告が可能となる。一覧では診療時間までの時間および、診療時間からの超過時間での並び替えや時間に応じて表示を変化させることができ、検査を優先して実施すべき検体の選定や、診療予約時間に対する遅延有無を判断することができる。検査順の最適化が行われることで診療側（医師、看護師、患者）の待ちが軽減される。診療予約時間を検査部門で把握することにより、適切な検査実施順の検討や、検査遅延時の診療側への情報発信が可能となる。検査結果待ちによる待ち時間が軽減され、スムーズな診療が可能となる。
【００３２】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００３３】
以上の説明に関し、更に以下の項を開示する。
（付記１）
検体に対応付けられた検査依頼識別情報を取得し、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、
前記検体の検査状態と前記検体に対応する診察予約時刻とを対応付けて表示させる、
処理をコンピュータに実行させることを特徴とする検体管理プログラム。
（付記２）
前記検査状態は、検査中、検査済みの状態を含む、
ことを特徴とする付記１に記載の検体管理プログラム。
（付記３）
前記検査依頼識別情報に対応する診察予約時刻と現在時刻とに基づいて、前記検査依頼識別情報に対応する診察予約時刻までの残り時間を併せて表示させる、
ことを特徴とする付記１に記載の検体管理プログラム。
（付記４）
前記残り時間に応じて、前記残り時間の表示を変化させる、
ことを特徴とする付記３に記載の検体管理プログラム。
（付記５）
前記検体の受付時刻と前記現在時刻とに基づいて、前記検体の受付後の経過時間を算出し、
前記残り時間と前記受付後の経過時間とに応じて、前記残り時間の表示を変化させる、
ことを特徴とする付記３に記載の検体管理プログラム。
（付記６）
検体に対応付けられた検査依頼識別情報を取得する取得部と、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定する特定部と、
前記検体の検査状態と前記検体に対応する診察予約時刻とを対応付けて表示させる表示部と、
を備えたことを特徴とする検体管理装置。
（付記７）
前記検査状態は、検査中、検査済みの状態を含む、
ことを特徴とする付記６に記載の検体管理装置。
（付記８）
前記検査依頼識別情報に対応する診察予約時刻と現在時刻とに基づいて、前記検査依頼識別情報に対応する診察予約時刻までの残り時間を併せて表示させる、
ことを特徴とする付記６に記載の検体管理装置。
（付記９）
前記残り時間に応じて、前記残り時間の表示を変化させる、
ことを特徴とする付記８に記載の検体管理装置。
（付記１０）
前記検体の受付時刻と前記現在時刻とに基づいて、前記検体の受付後の経過時間を算出し、
前記残り時間と前記受付後の経過時間とに応じて、前記残り時間の表示を変化させる、
ことを特徴とする付記８に記載の検体管理装置。
（付記１１）
検体に対応付けられた検査依頼識別情報を取得し、
前記検体の検査状態を確認可能に表示する際に、前記検体に対応付けられた検査依頼識別情報に基づいて、検査依頼識別情報と診察予約時刻とを対応付けて記憶した電子カルテシステムの記憶部を参照し、前記検体に対応する診察予約時刻を特定し、
前記検体の検査状態と前記検体に対応する診察予約時刻とを対応付けて表示させる、
処理をコンピュータが実行することを特徴とする検体管理方法。
（付記１２）
前記検査状態は、検査中、検査済みの状態を含む、
ことを特徴とする付記１１に記載の検体管理方法。
（付記１３）
前記検査依頼識別情報に対応する診察予約時刻と現在時刻とに基づいて、前記検査依頼識別情報に対応する診察予約時刻までの残り時間を併せて表示させる、
ことを特徴とする付記１１に記載の検体管理方法。
（付記１４）
前記残り時間に応じて、前記残り時間の表示を変化させる、
ことを特徴とする付記１３に記載の検体管理方法。
（付記１５）
前記検体の受付時刻と前記現在時刻とに基づいて、前記検体の受付後の経過時間を算出し、
前記残り時間と前記受付後の経過時間とに応じて、前記残り時間の表示を変化させる、
ことを特徴とする付記１３に記載の検体管理方法。
【符号の説明】
【００３４】
１              検体検査システム・サーバ装置
１１            検査オーダー受付部
１２            ラベル発行部
１３            検体受付部
１４            予約情報取得部
１５            検査結果参照情報取得部
１６            検査結果・承認受付部
１７            検査結果情報提供部
１８            検査管理情報
１９            通信部
２              検査装置
３              電子カルテシステム・サーバ装置
３１            予約受付部
３２            検査オーダー受付部
３３            検査結果情報提供部
３４            診療管理情報
３４１          診療情報
３４２          予約情報
３４３          検歴情報
３４４          検査結果情報
３５            通信部
５              ネットワーク
６、７          端末装置
６１、７１      通信部
６２、７２      入出力部
【図１】
2018059715.tif 000003
【図２】
2018059715.tif 000004
【図３】
2018059715.tif 000005
【図４】
2018059715.tif 000006
【図５】
2018059715.tif 000007
【図６】
2018059715.tif 000008
【図７】
2018059715.tif 000009
【図８】
2018059715.tif 000010
【図９】
2018059715.tif 000011
【図１０】
2018059715.tif 000012